(57)【要約】【課題】プルタブを備えた光トランシーバをホスト装置のケージにＢ２Ｂ実装した場合であっても、光ケーブルに不要なストレスを与えることのない光トランシーバを提供する。【解決手段】光トランシーバ１は、光ケーブル１１の先端に付属する光コネクタ１２を装着するための光レセプタクル４１を有する筐体と、筐体とケージとの係合を解除するスライダ７と、スライダ７に連結されたプルタブ６とを備える。プルタブ６は、スライダ７に接続され且つ光レセプタクル４１を挟んで延設された一対のアーム６１と、一対のアーム６１の先端に設けられたハンドル６２とを備え、ハンドル６２は、光レセプタクル４１に装着された光ケーブル１１を受ける受け部６４を備え、受け部６４に、光レセプタクル４１の光軸に対して傾斜し且つ３０ｍｍ以上の曲率半径を有するスロープが形成されている。【選択図】図６
2015121587.tif 000002
【特許請求の範囲】
【請求項１】
ホスト装置に搭載されたケージに挿抜可能に装着される光トランシーバであって、
光ケーブルの先端に付属する光コネクタを装着するための光レセプタクルを有する筐体と、該筐体と前記ケージとの係合を解除するスライド部材と、該スライド部材に連結された把持部材とを備え、
前記把持部材は、前記スライド部材に接続され且つ前記光レセプタクルを挟んで延設された一対の腕部と、該一対の腕部の先端に設けられた取手部とを備え、
前記取手部は、前記光レセプタクルに装着された前記光ケーブルを受ける受け部を備え、該受け部に、前記光レセプタクルの光軸に対して傾斜し且つ３０ｍｍ以上の曲率半径を有するスロープが形成されている、光トランシーバ。
【請求項２】
前記光トランシーバは、前記ケージに前記受け部を上側にして装着され、前記光ケーブルは、前記光トランシーバが前記ケージに装着された状態で、前記受け部と少なくとも複数の点で接触し、前記光ケーブルの自重により下方に垂下する、請求項１に記載の光トランシーバ。
【請求項３】
前記光コネクタは、前記光ケーブルの先端から所定長の部分を保護する筒状の保護部材を備え、
前記光コネクタが前記光レセプタクルに装着された状態で、前記保護部材の端点、前記受け部の始点、終点の三点を結ぶ円弧の曲率半径が３０ｍｍ以上である、請求項１または２に記載の光トランシーバ。
【発明の詳細な説明】
【技術分野】
【０００１】
本発明は、光通信用のホスト装置のケージに対して挿抜可能に装着される光トランシーバに関する。
【背景技術】
【０００２】
光通信用の光トランシーバは、光ケーブルの光コネクタを介して信号光の送信及び受信を行うものである。このような光トランシーバには、ホスト装置のケージに対して挿抜可能とする機構、すなわち、プラガブル機構を採用するものがあり、このプラガブル機構に関して様々なものが提案されている（例えば、特許文献１を参照）。
【０００３】
近年の光トランシーバは、上記のプラガブル型が主流になっており、特に、部品交換作業をし易くするためにプルタブを備えたものが一般に広く用いられている。すなわち、ホスト装置の前面パネルに設けられる各光トランシーバ向けのポートが密に配置されている場合に、ユーザが光トランシーバ前面に装着されているベールを摘まんで光トランシーバをポートから引き抜こうとすると、この密に配置されたポートのために、ベールに指が届かない場合があった。
【０００４】
このため、光トランシーバの前面にプルタブを備えることで、光トランシーバの挿抜を容易にする工夫がなされている。なお、プルタブの操作性を確保するためには、プルタブ先端部の突出量を適切に設定する必要があるが、多くの場合、プルタブの先端部は光ケーブルの曲げ先端（曲がり始め位置）よりも突き出すことになる。以下、プルタブを備えた光トランシーバを、ホスト装置のデュアルケージ（上下２段構成のケージ）に実装した場合について説明する。
【０００５】
図７は、光トランシーバをケージの上下２段に実装した様子を説明するための図である。図中、１０１はデュアルケージ（上下２段構成）、１０２，１０３は光トランシーバ、１０２ａ，１０３ａはプルタブ、１０２ｂ，１０３ｂは光コネクタ、１０２ｃ，１０３ｃはブーツ、１０２ｄ，１０３ｄは光ケーブルを示す。本例では、上下同じ向きに光トランシーバ１０２，１０３が実装されるが、これら２つの光トランシーバ１０２，１０３は同様の構成を有しており、ここでは下段側の光トランシーバ１０３を例示して説明する。
【０００６】
光ケーブル１０３ｄの先端には、光コネクタ１０３ｂが取り付けられている。また、この光コネクタ１０３ｂには、光ケーブル１０３ｄの先端から所定長の部分を保護する筒状のブーツ１０３ｃが設けられている。プルタブ１０３ａを備える光トランシーバ１０３には、光レセプタクルが設けられており、この光レセプタクルに光コネクタ１０３ｂが挿抜可能に装着される。光トランシーバ１０３に装着された光ケーブル１０３ｄは自重によって垂下し、図７に示すように、光コネクタ１０３ｂのブーツ１０３ｃの根元部分から円弧状の曲がりが生じる。
【０００７】
ここで、光ケーブルの自重による自然垂下に対しては、光ケーブルの曲げ特性は保証されている。つまり、自重によって垂下したとしても、光コネクタのブーツの端点を起点として、光ケーブルの曲げ半径が規定値（汎用シングルモード型光ファイバケーブルの場合には３０ｍｍ）以上となるように、光ケーブルの被覆強度が確保されている。但し、あくまで自重による垂下であり、強制的に光ケーブルを下方に引っ張れば規定値よりも小さい曲げ半径になり得る。
【０００８】
上記のような光ケーブルは一般に伝送損失や信頼性の観点から曲げ半径の下限（最小曲げ半径：３０ｍｍ）が規定されており、ケーブル被覆や光コネクタのブーツ等の設計によって最小曲げ半径を維持するよう設計されている。従って、プルタブを備える光トランシーバの実装形態において、図７のような同方向の配置であれば、光ケーブルの最小曲げ半径を阻害する要因は存在しないことから、問題は起こらない。すなわち、光ケーブルが自重によって自然垂下したとしても、その光ケーブルの軌跡をプルタブの先端が阻害することはない。
【先行技術文献】
【特許文献】
【０００９】
【特許文献１】米国特許出願公開第２０１１−００８１１１４号公報
【発明の概要】
【発明が解決しようとする課題】
【００１０】
一方、光トランシーバのホスト装置への実装形態として、光トランシーバの腹（例えば底面）同士を背中合わせに実装するベリートゥベリー（Belly to Belly、以下Ｂ２Ｂという）実装という方法がある。この実装方法は、特に１０Ｇｂｐｓ以上の高速信号を扱う場合に、ホスト装置のマザーボードの信号処理部から上下各々の光トランシーバまで等長配線を行うことができるため、多連装で好まれる実装方法である。
【００１１】
しかしながら、図７に示した光トランシーバ１０３をＢ２Ｂ実装した場合、図８に示すように、光ケーブル１０３ｄの曲げ方向にプルタブ１０３ａが位置するため、光ケーブル１０３ｄは、プルタブ１０３ａの先端部１０３ｅと干渉し、光ケーブル１０３ｄの曲げ半径が最小曲げ半径（規定値）よりも小さくなる可能性がある。つまり、下段側の光トランシーバ１０３が上下反対にデュアルケージ１０１に装着されるため、プルタブ１０３ａの先端部１０３ｅが光トランシーバ１０３の光ケーブル１０３ｄの垂下状態を阻害する位置関係となる。より具体的には、図７の状態ではブーツ１０３ｃの端点を起点として垂下していた光ケーブル１０３ｄが、図８の状態ではプルタブ１０３ａの先端部１０３ｅを起点として垂下することになる。このため、想定外の応力が光ケーブル１０３ｄに及ぼされかねない。
【００１２】
そして、上記の結果、以下の問題が発生する虞がある。
（１）光トランシーバの取出し作業性（挿抜性）の低下
（２）プルタブによる光ケーブルへのストレス及びこのストレスに伴う信号伝送特性への影響
（３）光ケーブルによるプルタブへのストレス及びこのストレスに伴うクリープ変形の発生
【００１３】
従って、Ｂ２Ｂ実装される光トランシーバにプルタブを適用する場合には、上記問題の発生を防止するための工夫が必要とされるが、上述の特許文献１に記載の技術では、このような工夫について言及されていない。
【００１４】
本発明は、上述のような実情に鑑みてなされたもので、プルタブを備えた光トランシーバをホスト装置のケージにＢ２Ｂ(Belly to Belly)実装した場合であっても、光ケーブルに不要なストレスを与えることのない光トランシーバを提供することを目的とする。
【課題を解決するための手段】
【００１５】
本発明は、ホスト装置に搭載されたケージに挿抜可能に装着される光トランシーバであって、光ケーブルの先端に付属する光コネクタを装着するための光レセプタクルを有する筐体と、該筐体と前記ケージとの係合を解除するスライド部材と、該スライド部材に連結された把持部材とを備え、前記把持部材は、前記スライド部材に接続され且つ前記光レセプタクルを挟んで延設された一対の腕部と、該一対の腕部の先端に設けられた取手部とを備え、前記取手部は、前記光レセプタクルに装着された前記光ケーブルを受ける受け部を備え、該受け部に、前記光レセプタクルの光軸に対して傾斜し且つ３０ｍｍ以上の曲率半径を有するスロープが形成されている。
【発明の効果】
【００１６】
上記発明によれば、プルタブを備えた光トランシーバをホスト装置のケージにＢ２Ｂ実装した場合であっても、プルタブの先端部に、一般的に使用される光ファイバの許容曲げ半径である３０ｍｍ以上の曲率半径を有する円弧状のスロープを形成し、これにより光ケーブルを受けるようにしたため、光ケーブルに不要なストレスを与えることがない。
【図面の簡単な説明】
【００１７】
【図１】本発明による光トランシーバの一例を示す外観図である。
【図２】光トランシーバをホスト装置のケージから取り外す方法の一例について説明する図である。
【図３】本発明によるプルタブ構造近傍を上面から見た図である。
【図４】図３のプルタブ構造近傍を下面から見た図である。
【図５】Ｂ２Ｂ実装された光トランシーバに光ケーブルが装着された状態を示す図である。
【図６】本発明の光トランシーバをＢ２Ｂ実装したときのプルタブと光ケーブルとの位置関係の一例を示す図である。
【図７】光トランシーバをケージの上下２段に実装した様子を説明するための図である。
【図８】従来技術の問題点を説明する図である。
【発明を実施するための形態】
【００１８】
（本発明の実施形態の詳細）
以下、光トランシーバをホスト装置のケージにＢ２Ｂ実装する際に有効なプルタブ構造の具体例を、図面を参照しつつ説明する。なお、本発明はこれらの例示に限定されるものではなく、特許請求の範囲によって示され、特許請求の範囲と均等の意味及び範囲内での全ての変更が含まれることが意図される。
【００１９】
図１は、本発明による光トランシーバの一例を示す外観図で、図中、１は光トランシーバを示す。この光トランシーバ１は、光通信用のホスト装置に対して挿抜可能に取り付けられると共に、信号光の送受信機能を有するプラガブル（活線挿抜）型光トランシーバである。光トランシーバ１は、光電変換機能を有する光電変換部品（図示せず）と、多数の電子部品を実装した回路基板２とを筐体３で保護しており、筐体３は、回路基板２を挟んで上筐体４と下筐体５とに分割される。上筐体４と下筐体５とは、例えば、アルミもしくは亜鉛等の金属製とされる。
【００２０】
上記の光電変換部品として、光信号を送信する光サブアセンブリ(ＴＯＳＡ：Transmitting Optical Sub-Assembly)と、光信号を受信する光サブアセンブリ(ＲＯＳＡ：Receiving Optical Sub-Assembly)とを筐体３内に有している。ＴＯＳＡ及びＲＯＳＡにはそれぞれ光電変換素子である発光素子及び受光素子が搭載され、フレキシブルプリント回路基板等の接続部材を介して回路基板２と電気的に接続される。ＴＯＳＡ及びＲＯＳＡのための電気信号処理、制御等は、回路基板２に実装された電子回路部品からなる電子回路で行われる。回路基板２の奥側端部は、光トランシーバ１をホスト装置に電気的に接続するための電気プラグ（コネクタ）が設けられており、筐体３から露出している。
【００２１】
すなわち、光トランシーバ１は、光ケーブル（図示せず）の先端に付属する光コネクタを装着するための光レセプタクル４１を有する筐体３と、筐体３とホスト装置のケージとの係合を解除するスライド部材に相当するスライダ７と、スライダ７に連結された把持部材に相当するプルタブ６とを備える。プルタブ６は、スライダ７に接続され且つ光レセプタクル４１を挟んで延設された一対の腕部に相当する一対のアーム６１と、一対のアーム６１の先端に設けられた取手部に相当するハンドル６２とを備える。
【００２２】
上記において、樹脂製のプルタブ６と、板金加工されたスライダ７とは一体的に形成されていることが望ましい。例えば、プルタブ６の樹脂成型の際に、予め金型内にスライダ７を挿入しインサート成型することにより、プルタブ６とスライダ７とを一体にすることができる。
【００２３】
図１の光トランシーバ１は、大きく分けて、電子回路、光サブアセンブリ、機構部品という３つの部品で構成され、光通信における光電気変換を担う基幹部品である。動作時の伝送レートとして４０Ｇｂｐｓ以上の高周波信号を扱うものである。ホスト装置との関係において、光トランシーバ１は、ホスト装置のマザーボード上に実装され、かつホスト装置のフロントパネルに開口を有するケージに挿入されて用いられる。ケージ奥端のマザーボード上には、マザーボードからの電源供給、グランド配線、伝送信号、制御信号などを光トランシーバ１とマザーボードとの間で通信するための電気コネクタが配置されており、光トランシーバ１の後端に設けられた電気プラグと電気的・機械的に接続される。
【００２４】
ケージに挿入された光トランシーバ１は、挿入されている間に想定され得る機械的な負荷（光ケーブルの引張負荷や、地震等の災害による負荷など）に耐えられるように、ケージと光トランシーバ１とが確実に係止（ロック）される必要がある。また、光トランシーバ１の故障やメンテナンス等が必要な場合を想定し、上記のロックを解除し、光トランシーバ１をホスト装置のケージから取り外すことができるようにしておく必要がある。光トランシーバ１をホスト装置のケージから取り外す方法の一例について図２に基づき説明する。
【００２５】
図２（Ａ）は取り外し操作によりスライダ７がスライドする前の光トランシーバ１の部分拡大図であり、図２（Ｂ）はスライダ７がスライドした後の光トランシーバ１の部分拡大図である。図２（Ａ）において、プルタブ６と一体で連結されているスライダ７は、上筐体４の長手方向に沿ってスライドするものであり、プルタブ６と反対側の端部に、側方に延び出す突起７１が形成されている。また、スライダ７は、通常状態において、突起７１を含む先端部分が上筐体４の側壁４２の凹部４３内に収まると共に、突起７１が上筐体４１より外側に突出することがないように、上記先端部分の近傍に折り曲げ加工が施されている。
【００２６】
なお、上筐体４の側壁４２には、スライダ７に対向するスライド面４４と、スライド面４４より内側に凹みホスト装置のケージの係合片と係合する凹部４３と、スライド面４４から凹部４３へと連続するスロープ面４５とが形成されている。また、突起７１は、ホスト装置のケージ側面に設けられ且つケージ内側に曲げられた係合片（図示せず）を押し出すためのものである。
【００２７】
つまり、光トランシーバ１がホスト装置のケージに装着された状態において、図２（Ａ）に示すように、突起７１を含む先端部分が上筐体４の側壁４２の凹部４３内に収まっており、また、突起７１が上筐体４より外側に突出していない。そして、ホスト装置のケージの係合片と上筐体４の凹部４３の後壁４３ａとが係合しており、光トランシーバ１がホスト装置のケージにラッチして固定されている。
【００２８】
次に、図２（Ｂ）に示すように、ラッチされている光トランシーバ１を取り外すためにユーザがプルタブ６を手前に引き、スライダ７が手前にスライドされると、スライダ７の突起７１を含む先端部分が、上筐体４の側壁４２のスライド面４４上を摺動することにより、上記先端部分を外側に押し出す力が働く。これにより、ホスト装置のケージの係合片と上筐体４の凹部４３の後壁４３ａとの係合が解除される。
【００２９】
すなわち、光トランシーバ１の側面にスライダ７が設けられ、その先端にスロープ状の突起７１が設けられている。スライダ７を動作させることで、ケージ側の係合片はその先端が突起７１に接触し、スライダ動作の進行とともに外側に開くことによってロックが解除される。これにより、ホスト装置を傷つけることなく光トランシーバ１を取り外すことができる。
【００３０】
上記の取り外しを行うために、スライダ７を動作させる機構が必要であり、その中の一つとして、プルタブ６を用いている。プルタブ６は、図１の光トランシーバ１の光コネクタ４１近傍に光レセプタクル４１を跨ぐ様に設けられており、スライダ７に接続されている。プルタブ６を引っ張ることによってスライダ７が動き、ロックを外す仕組みである。
【００３１】
一方、プルタブ６を引っ張る動作によってロックを外すことが可能となるが、再度、光トランシーバ１をケージに装着する際、このロックを外すための突起７１は、ロック解除以前の位置に戻しておく必要がある（さもないと、光トランシーバ１をケージに装着した際、ロックできない問題が生じる）。このため、プルタブ６には戻り機構が必要であり、一般的には、スプリングにより機械的に元の位置に戻す機構が用いられる。
【００３２】
ここで、Ｂ２Ｂ実装とプルタブを組み合わせた場合、前述の図８に示したように、光ケーブルがプルタブ先端部との干渉によって曲げられ、光ケーブルの曲げ半径が最小曲げ半径より小さくなる可能性がある。そこで、本発明の主たる目的は、Ｂ２Ｂ実装時であっても、光ケーブルの曲げ半径が最小曲げ半径よりも小さくならないように、実装信頼性を保証するためのプルタブ構造を提供することにある。
【００３３】
図３は本発明によるプルタブ構造近傍を上面から見た図で、図４は図３のプルタブ構造近傍を下面から見た図である。図３に示すように、プルタブ６は、スライダ７に接続された２本（一対）のアーム６１が、光レセプタクル４１からその前方に向かって延伸し、その先端部分に円弧状の切り欠き６３が形成されている。また、プルタブ６の先端部分には、ユーザが指で摘まむ際の取手になるハンドル６２が設けられている。このハンドル６２はくぼみ状になっており、先端部分の切り欠き６３と合わせ、ユーザがプルタブ６を引き抜く／押し込む動作をする際に、指がくぼみに嵌りこむことで、プルタブ６に指が馴染む形状をしている。これにより、ユーザは直観的にプルタブ６をつまむ箇所を認識することが出来、作業上のミス発生を軽減することが可能となる。
【００３４】
図４に示すように、ハンドル６２は、光レセプタクル４１に装着された光ケーブルを受ける受け部６４を備え、受け部６４に、光レセプタクル４１の光軸に対して傾斜し且つ３０ｍｍ以上の曲率半径を有するスロープが形成されている。このスロープの曲率半径を３０ｍｍ以上としたのは、汎用シングルモード型光ファイバケーブルの場合に最小曲げ半径が３０ｍｍと規定（例えば、ＩＴＵ−Ｔ Ｇ．６５２規格など）されているためである。
【００３５】
また、ハンドル６２には、アーム長手方向に沿って受け部６４の両側に側壁６５が形成され、この側壁６５により光ケーブルがガイドされる。つまり、本実施形態のハンドル６２では、受け部６４の部分がくぼみ状に抉られており、この結果、受け部６４の両側に側壁６５が形成される。従来は受け部６４の抉られた部分に樹脂が充填されており、光ケーブルがプルタブ側に垂下した場合、ハンドルの先端部分が光ケーブルと干渉し（図８を参照）、光ケーブルに無用な応力が及ぼされていた。これに対して、本実施形態によれば、ハンドル６２に受け部６４を設けたことで、光ケーブルとの干渉をなくし、光ケーブルに無用な応力が及ぼされることがない。
【００３６】
このように、Ｂ２Ｂ実装において光ケーブルがプルタブ６の先端と干渉しないように、光レセプタクル４１の光軸に対して傾斜し且つ３０ｍｍ以上の曲率半径を有する受け部６４を設けたことにより、光ケーブルの最小曲げ半径（３０ｍｍ）を保証することができるため、光ケーブルに不要なストレスを与えることがなく、ホスト装置への実装が可能となる。
【００３７】
図５は、Ｂ２Ｂ実装された光トランシーバ１に光ケーブルが装着された状態を示す図である。なお、本例ではケージ下段側のみを示している。また、光ケーブル１１及び受け部６４の周辺部分を、光ケーブル１１の長手方向に沿って切ったときのＸＸ断面を後述の図６（Ｂ）に示す。光ケーブル１１の先端には、光コネクタ１２が取り付けられている。また、この光コネクタ１２には、光ケーブル１１の先端から所定長の部分を保護する筒状の保護部材であるブーツ１３が設けられている。プルタブ６を備える光トランシーバ１には、光レセプタクル４１が設けられており、この光レセプタクル４１に光コネクタ１２が挿抜可能に装着される。そして、光トランシーバ１は、デュアルケージ１０１に受け部６４を上側にして装着され、光ケーブル１１は、光トランシーバ１がデュアルケージ１０１に装着された状態で、受け部６４と少なくとも複数の点で接触し、光ケーブル１１の自重により下方に垂下する。
【００３８】
ここで、プルタブ６を操作するためには、光コネクタ１２そのものや、光コネクタ１２に設けられたブーツ１３などにユーザができる限り触れないよう、プルタブ６にある程度の長さを確保する必要がある。少なくとも光コネクタ１２のブーツ１３より飛び出す程度の長さを確保しないと、プルタブ６の操作に支障を来たす可能性がある。
【００３９】
上記のようにプルタブの長さを確保した場合でもＢ２Ｂ実装を行わなければ、図７に示したように、光ケーブルはプルタブから離れるように垂下するので、プルタブと光ケーブルとの干渉は生じない。これに対して、Ｂ２Ｂ実装を行う場合には、図８に示したように、光ケーブルとプルタブとの干渉が避けられず、光ケーブルの最小曲げ半径への配慮が必要となる。
【００４０】
図６は、本発明の光トランシーバ１をＢ２Ｂ実装したときのプルタブ６と光ケーブル１１との位置関係の一例を示す図で、図６（Ａ）は主要部の構成を示し、図６（Ｂ）は図５のＸＸ断面を示す。図６（Ａ）は図５と同様にケージ下段側の光トランシーバ１について示したものである。また、図６（Ｂ）のＸＸ断面は、図５において、光ケーブル１１及び受け部６４の周辺部分を、光ケーブル１１の長手方向に沿って切ったときの断面を示す。
【００４１】
このように、光トランシーバ１をＢ２Ｂ実装した際に、プルタブ６の長さを確保しつつ、光ケーブル１１が最小曲げ半径（３０ｍｍ）より小さい屈曲とならないよう、プルタブ６の裏面となる光ケーブル１１との接触部分を、光ケーブル１１を受ける受け部６４として構成する。
【００４２】
すなわち、光コネクタ１２が光レセプタクル４１に装着された状態で、図６（Ｂ）に示すように、ブーツ１３の端点ａ、受け部６４の始点ｂ、終点ｃの三点を結ぶ円弧の曲率半径が３０ｍｍ（３０Ｒ）以上とされている。光ケーブル１１は光コネクタ１２のブーツ１３の端点ａを始点として３０Ｒの曲率半径で下方に垂下する。なお、この３０Ｒのカーブをトレースする位置となるように一対のアーム６１の長さを設定すればよい。具体的には、受け部６４において、３０Ｒの始点ｂの位置は、光コネクタ１２の中心からおおよそ光ケーブル１１の半径ｄの分だけオフセットした位置とする。さらに、受け部６４は、光レセプタクル４１の光軸に対して傾斜し且つ曲率半径が３０ｍｍ以上の円弧形状のスロープとし、光ケーブル１１が接触した際に、その曲げ半径が最小曲げ半径より小さくならないようにしている。
【００４３】
なお、上記では、ケージ下段側に装着される光トランシーバについて説明したが、ケージ上段側に装着される光トランシーバは、図７に示したように、光ケーブルがプルタブから離れるように下向きに垂下する。このため、基本的にプルタブの先端部分と光ケーブルとが干渉することはないため、光トランシーバの操作性及び信頼性は保証される。また、図７において、ケージ上段側の光トランシーバを上下反転させ、光トランシーバの上面同士を対向させて実装する場合には、ケージ上段側の光トランシーバが図６の構造となり基本的に同様の効果を得ることができる。
【００４４】
以上説明したように、本実施形態によれば、プルタブを備えた光トランシーバをＢ２Ｂ実装した場合においても、光トランシーバの操作性および信頼性を損なわない有効なプルタブ構造を提供することができる。
【符号の説明】
【００４５】
１…光トランシーバ、２…回路基板、３…筐体、４…上筐体、４１…光レセプタクル、４２…側壁、４３…凹部、４３ａ…後壁、４４…スライド面、４５…スロープ面、５…下筐体、６…プルタブ（把持部材）、６１…アーム（腕部）、６２…ハンドル（取手部）、６３…切り欠き、６４…受け部、６５…側壁、７…スライダ（スライド部材）、７１…突起、１１…光ケーブル、１２…光コネクタ、１３…ブーツ（保護部材）。
【図１】
2015121587.tif 000003
【図２】
2015121587.tif 000004
【図３】
2015121587.tif 000005
【図４】
2015121587.tif 000006
【図５】
2015121587.tif 000007
【図６】
2015121587.tif 000008
【図７】
2015121587.tif 000009
【図８】
2015121587.tif 000010